(57)【要約】【課題】フィット性及びムレ防止性に優れる吸収性物品を提供すること。【解決手段】吸収体４は、中間部Ｍの横方向Ｙの中央部に、その前後部に比して厚みが大きく且つ肌対向面側に隆起した中高部４３を有すると共に、該中高部４３の後方に、縦方向Ｘに延びる後方スリットＲ１が複数分散配置された後方スリット領域ＲＳを有する。後方部Ｒにおける吸収性本体１０の非肌対向面に、該吸収性本体１０を着衣に固定するズレ止め部８が、後方スリット領域ＲＳを通って縦方向Ｘに延びるように配されている。平面視において、ズレ止め部８は、少なくとも後方スリット領域ＲＳにおいて縦方向Ｘの最前方に位置する後方スリットＲ１ａと重なっていない。【選択図】図４
2018061685.tif 000002
【特許請求の範囲】
【請求項１】
着用者の前後方向に相当する縦方向とこれに直交する横方向とを有し、液保持性の吸収体と該吸収体の肌対向面側に配置された表面シートとを具備する吸収性本体を備えた吸収性物品であって、
前記吸収性物品は、着用時に着用者の排泄部と対向する部分を含む中間部と、該中間部より前方に位置する前方部と、該中間部より後方に位置する後方部とに区分され、
前記吸収体は、前記中間部の横方向中央部に、その前後部に比して厚みが大きく且つ肌対向面側に隆起した中高部を有すると共に、該中高部の後方に、縦方向に延びる後方スリットが複数分散配置された後方スリット領域を有し、
前記後方部における前記吸収性本体の非肌対向面に、該吸収性本体を着衣に固定するズレ止め部が、前記後方スリット領域を通って縦方向に延びるように配されており、
平面視において、前記ズレ止め部は、少なくとも前記後方スリット領域において縦方向の最前方に位置する前記後方スリットとは重なっていない吸収性物品。
【請求項２】
前記ズレ止め部は、横方向の最外方に位置する前記後方スリットより横方向外方に存している請求項１に記載の吸収性物品。
【請求項３】
前記後方スリット領域は、前記吸収体を横方向に二分して縦方向に延びる縦中心線を挟んで両側に一対配されており、
平面視において、前記ズレ止め部は前記一対の後方スリット領域の間に存していない請求項１又は２に記載の吸収性物品。
【請求項４】
前記吸収体は、 前記中間部に、縦方向に延びる中央スリットが複数分散配置された中央スリット領域を有し、前記ズレ止め部が、該中央スリット領域を通って縦方向に延びるように配されており、
平面視において、前記ズレ止め部は前記中央スリットと重なっていない請求項１〜３の何れか１項に記載の吸収性物品。
【請求項５】
前記吸収体は、 前記中間部に、縦方向に延びる中央スリットが複数分散配置された中央スリット領域を有し、前記ズレ止め部が、該中央スリット領域を通って縦方向に延びるように配されており、
前記一対の後方スリット領域の一方と他方との横方向における間隔が最も狭い部分の間隔は、前記中央スリット領域において横方向に隣り合う２本の前記中央スリットどうしの横方向における間隔に比して広く、且つ前記中高部を横方向に５等分した場合の横方向中央の１領域の横方向長さに比して広い請求項３に記載の吸収性物品。
【発明の詳細な説明】
【技術分野】
【０００１】
本発明は、生理用ナプキン等の吸収性物品に関する。
【背景技術】
【０００２】
生理用ナプキン等の吸収性物品として、着用時に着用者の肌と対向する肌対向面とは反対側の非肌対向面、即ち着用時にショーツ等の着衣と対向する着衣対向面にズレ止め部が設けられ、該ズレ止め部を介して着衣に固定されるようになされているものが知られている。例えば特許文献１には、吸収体を備えた吸収性本体の非肌対向面に、ズレ止め部の配置領域を縦方向に２カ所離間配置し、各配置領域において、縦方向に延びる一対のズレ止め部を横方向に離間配置することが記載されている。また特許文献２には、吸収性物品を横方向に三等分したときに、その中央領域にはズレ止め部を設けずに、中央領域の両側に位置するサイド領域に縦方向に延びるズレ止め部を設けることが記載されている。また特許文献３には、吸収体の縦方向に沿う両側部に分断部を設けることによって該吸収体が縦方向に伸長可能になされた吸収性物品において、ズレ止め部が該分断部を跨がないように配することが記載されている。尚、縦方向は吸収性物品の着用者の前後方向に対応する方向、横方向は該縦方向に直交する方向である。
【０００３】
また、生理用ナプキン等の吸収性物品には、経血等の排泄物の漏れを抑制するため、着用者の身体形状に沿うように変形し、着用者の肌にフィット性良く密着することが望まれている。斯かる要望に応え得る技術として、吸収性物品の構成部材の中でも特に剛性の高い吸収体に、スリットや開口を形成する技術が知られている。本出願人は、先に、吸収体の排泄部対向部における中間部に、縦スリットが分散して形成された中間スリット領域と、吸収体の後方部に、横方向に延びる後方スリットが縦方向に間欠的に配されて形成された後方スリット領域とを有する吸収性物品を提案した（特許文献４）。特許文献４に記載の吸収性物品によれば、深い折れ皺やヨレが発生し難く、フィット性が向上し、着用感が向上する。
【先行技術文献】
【特許文献】
【０００４】
【特許文献１】特開２０１６−６７８２１号公報
【特許文献２】特開２０１３−３７５号公報
【特許文献３】特開２００９−１５３７３４号公報
【特許文献４】特開２０１５−２３９９９号公報
【発明の概要】
【発明が解決しようとする課題】
【０００５】
吸収性物品には、着用時に着用者の肌に密着して隙間を生じ難く、該隙間からの液漏れを効果的に防止し得ることが望まれている。特に、厚みの薄い薄型の吸収性物品は、着用者の就寝時などにおいて、臀部に対するフィット性が不十分である場合が多く、その改良が望まれている。また、吸収性物品においては、吸収体に吸収保持された経血等の排泄液に含まれる水分が、着用者の体温によって肌対向面側から蒸発して水蒸気として着用者の肌側に排出され、その結果、着用中の吸収性物品の内部空間、即ち着用者の肌と吸収性物品の肌対向面との間がムレた状態となり、それによって、かゆみ、カブレ等の肌トラブルが生じる場合がある。厚みの薄い薄型の吸収性物品であってもフィット性に優れ、しかもムレや肌トラブルを効果的に防止し得る吸収性物品は未だ提供されていない。
【０００６】
本発明の課題は、フィット性及びムレ防止性に優れる吸収性物品を提供することに関する。
【課題を解決するための手段】
【０００７】
本発明は、着用者の前後方向に相当する縦方向とこれに直交する横方向とを有し、液保持性の吸収体と該吸収体の肌対向面側に配置された表面シートとを具備する吸収性本体を備えた吸収性物品であって、前記吸収性物品は、着用時に着用者の排泄部と対向する部分を含む中間部と、該中間部より前方に位置する前方部と、該中間部より後方に位置する後方部とに区分され、前記吸収体は、前記中間部の横方向中央部に、その前後部に比して厚みが大きく且つ肌対向面側に隆起した中高部を有すると共に、該中高部の後方に、縦方向に延びる後方スリットが複数分散配置された後方スリット領域を有し、前記後方部における前記吸収性本体の非肌対向面に、該吸収性本体を着衣に固定するズレ止め部が、前記後方スリット領域を通って縦方向に延びるように配されており、平面視において、前記ズレ止め部は、少なくとも前記後方スリット領域において縦方向の最前方に位置する前記後方スリットとは重なっていない吸収性物品を提供するものである。
【発明の効果】
【０００８】
本発明によれば、フィット性に優れ、着用者の肌に密着して隙間を生じ難く、該隙間からの液漏れを効果的に防止し、且つムレ防止性にも優れ、かゆみ、カブレ等の肌トラブルを起こし難い吸収性物品が提供される。
【図面の簡単な説明】
【０００９】
【図１】図１は、本発明の吸収性物品の一実施形態である生理用ナプキンの肌対向面側（表面シート側）を模式的に示す平面図である。
【図２】図２は、図１のＩ−Ｉ線断面を模式的に示す横断面図である。
【図３】図３は、図１のＩＩ−ＩＩ線断面を模式的に示す横断面図である。
【図４】図４は、図１に示す生理用ナプキンにおける吸収体の肌対向面側を、該生理用ナプキンの非肌対向面に配されたズレ止め部と共に模式的に示す平面図である。
【発明を実施するための形態】
【００１０】
以下、本発明の吸収性物品をその好ましい実施形態に基づき図面を参照して説明する。図１〜図３には、本発明の吸収性物品の一実施形態である生理用ナプキン１が示されている。ナプキン１は、図１に示すように、着用者の前後方向に対応し、着用者の腹側から股間部を介して背側に延びる縦方向Ｘと、これに直交する横方向Ｙとを有し、着用時に着用者の排泄部（膣口等）と対向する部分即ち排泄部対向部を含む中間部Ｍと、該中間部Ｍより前方に位置して着用者の腹側（前側）に配される前方部Ｆと、該中間部Ｍより後方に位置して着用者の背側（後側）に配される後方部Ｒとに区分される。前記排泄部対向部は中間部Ｍの横方向Ｙの中央部に位置する。
【００１１】
ナプキン１は、図１に示すように、縦方向に長い形状の吸収性本体１０と、吸収性本体１０における中間部Ｍの縦方向Ｘに沿う両側部それぞれから横方向Ｙの外方に延出する一対のウイング部１０Ｗ，１０Ｗとを有している。本発明の吸収性物品における中間部Ｍは、ナプキン１のように吸収性物品がウイング部を有する場合には、該吸収性物品の縦方向（長手方向、図中のＸ方向）においてウイング部の縦方向Ｘにおける前方側の付け根と後方側の付け根とで区分される領域であり、ナプキン１を例にとれば、図２に示すように、一対のウイング部１０Ｗ，１０Ｗそれぞれの縦方向Ｘに沿う前方側の付け根どうしを結んで横方向Ｙに延びる仮想直線が中間部Ｍの前端、後方側の付け根どうしを結んで横方向Ｙに延びる仮想直線が中間部Ｍの後端である。また、ウイング部を有しない吸収性物品における中間部は、吸収性物品が個装形態に折り畳まれた際に生じる、該吸収性物品を横方向（幅方向、図中のＹ方向）に横断する２本の折り畳み線について、該吸収性物品の縦方向の前端から数えて第１折り畳み線と第２折り畳み線とに囲まれた領域を意味する。
【００１２】
ナプキン１は、液保持性の吸収体４及び該吸収体４の肌対向面側に配置された表面シート２を具備する。より具体的には、ナプキン１を構成する吸収性本体１０は、肌対向面を形成する表面シート２、非肌対向面を形成する裏面シート３、及び両シート２，３間に介在された吸収体４を具備する。吸収性本体１０は、縦方向Ｘにおいて着用者の腹側から順に、前方部Ｆ、中間部Ｍ及び後方部Ｒの３つの領域に区分される。縦方向Ｘは、ナプキン１及び吸収性本体１０の長手方向に一致し、横方向Ｙは、ナプキン１及び吸収性本体１０の長手方向に直交する幅方向に一致する。
【００１３】
本明細書において、「肌対向面」は、吸収性物品又はその構成部材（例えば吸収体４）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側、即ち相対的に着用者の肌から遠い側に向けられる面である。尚、ここでいう「着用時」は、通常の適正な着用位置、即ち当該吸収性物品の正しい着用位置が維持された状態を意味し、吸収性物品が該着用位置からずれた状態にある場合は含まない。
【００１４】
図２及び図３に示すように、表面シート２は、吸収体４の肌対向面の全域を被覆し、その縦方向Ｘに沿う両側縁は、吸収体４の縦方向Ｘに沿う両側縁と略同位置に存している。一方、裏面シート３は、吸収体４の非肌対向面の全域を被覆し、さらに吸収体４の縦方向Ｘに沿う両側縁から横方向Ｙの外方に延出して、後述する防漏カフ形成用シート５と共にサイドフラップ部１０Ｓを形成している。裏面シート３と防漏カフ形成用シート５とは、吸収体４の縦方向Ｘに沿う両側縁からの延出部において、接着剤、ヒートシール、超音波シール等の公知の接合手段によって互いに接合されている。また、表面シート２及び裏面シート３は、吸収体４の縦方向Ｘの両端からの延出部において、公知の接合手段によって互いに接合されている。表面シート２及び裏面シート３と吸収体４との間はそれぞれ接着剤によって接合されていても良い。表面シート２、裏面シート３としては、生理用ナプキン等の吸収性物品に従来使用されている各種のもの等を特に制限なく用いることができる。例えば、表面シート２としては、単層又は多層構造の不織布や、開孔フィルム等を用いることができる。裏面シート３としては、透湿性の樹脂フィルム等を用いることができる。
【００１５】
サイドフラップ部１０Ｓは、図１に示すように、中間部Ｍにおいて横方向Ｙの外方に向かって大きく張り出しており、これにより吸収性本体１０の縦方向Ｘに沿う左右両側に、一対のウイング部１０Ｗ，１０Ｗが延設されている。ウイング部１０Ｗは、図１に示す如き平面視において、下底（上底に比して長い辺）が吸収性本体１０側に位置する略台形形状を有しており、その非肌対向面には、該ウイング部１０Ｗをショーツ等の着衣に固定するウイング部ズレ止め部（図示せず）が形成されている。ウイング部１０Ｗは、ショーツ等の着衣のクロッチ部の非肌対向面即ち外面側に折り返されて用いられる。また、サイドフラップ部１０Ｓは、後方部Ｒにおいても横方向Ｙの外方に向かって大きく張り出しており、これにより吸収性本体１０の縦方向Ｘに沿う左右両側に、一対の後方フラップ部１０Ｈ，１０Ｈが延設されている。後方フラップ部１０Ｈは、これを着衣に固定する際に折り返されず、その非肌対向面が広げられた状態即ち吸収性本体１０の側方に延ばされた状態で、その非肌対向面に形成された後方ズレ止め部（図示せず）を介して、着衣の肌対向面即ち内面に固定される。前記ウイング部ズレ止め部及び前記後方ズレ止め部は、その使用前においてはフィルム、不織布、紙等からなる剥離シート（図示せず）によって被覆されている。
【００１６】
吸収性本体１０の肌対向面即ち表面シート２の肌対向面における縦方向Ｘに沿う両側部には、平面視において吸収体４の縦方向Ｘに沿う左右両側部に重なるように、一対の防漏カフ形成用シート５，５が吸収性本体１０の縦方向Ｘの略全長に亘って配されている。一対の防漏カフ形成用シート５，５は、それぞれ縦方向Ｘに延びる接合線５１にて、接着剤等の公知の接合手段によって表面シート２に接合されており、接合線５１より横方向Ｙの内方に位置する内側縁部が自由端部となっている。防漏カフ形成用シート５は、例えば、自由端部側を折り返し、その折り返し部分の内部に縦方向Ｘに延びる防漏カフ形成用弾性部材を配しても良い。このように防漏カフ形成用弾性部材を配すると、防漏カフ形成用弾性部材の収縮力により、折り返し部分が着用者の肌側に向かって起立する、防漏カフが形成されるようになる。このように防漏カフが形成されると、ナプキン１の肌対向面に排泄された経血等の排泄液の横漏れを防止することができる。
【００１７】
吸収体４について説明すると、吸収体４は高吸収性ポリマー及び親水性繊維を含有する。高吸収性ポリマーとしては、一般に粒子状のものが用いられるが、繊維状のものでも良い。粒子状の高吸収性ポリマーを用いる場合、その形状は球状、塊状、俵状又は不定形のいずれでも良い。高吸収性ポリマーとしては、一般に、アクリル酸又はアクリル酸アルカリ金属塩の重合物又は共重合物を用いることができる。また、親水性繊維としては、本来的に親水性の繊維でも良く、あるいは疎水性繊維を親水化処理した繊維でも良いが、前者の繊維が特に好ましい。本来的に親水性の繊維としては、天然系の繊維、セルロース系の再生繊維又は半合成繊維が好ましい例として挙げられ、好ましいものとして、パルプ、レーヨンを例示できる。パルプには、針葉樹クラフトパルプ、広葉樹クラフトパルプなどの木材パルプの他に、木綿パルプ、藁パルプなどの非木材パルプなどがあるが、特に制限されない。また、セルロース繊維の分子内及び／又は分子間を架橋させた架橋セルロース繊維、木材パルプをマーセル化処理して得られるような嵩高性のセルロース繊維を用いても良い。
【００１８】
ナプキン１における吸収体４は、図１〜図３に示すように、着用時に着用者の排泄部に対向配置される中央吸収性シート４１と、平面視において中央吸収性シート４１と重なる部分及び中央吸収性シート４１の周縁から外方に延出する部分を有する本体吸収性シート４２とを含んで構成されており、複数枚のシートの積層構造体である。両吸収性シート４１，４２は何れも、親水性繊維及び高吸収性ポリマーを含有する。
【００１９】
本発明において「吸収性シート」とは、高吸収性ポリマー、親水性繊維等の吸収性材料を含むシート状の吸収構造体を意味し、吸収性材料を積繊してなる積繊体とは区別される。一般に、吸収性シートは、吸収性材料の積繊体に比して厚みが薄く低剛性であるため、吸収性シートを備えた吸収性物品は、厚みが薄い薄型であり、柔軟で着用感に優れ、またコンパクトに折り畳めてハンドリング性にも優れる。斯かる吸収性シートの特長をより有効に活用し、液拡散性、液保持性を十分に備え装着感の良好な吸収性物品を得る観点から、吸収性シートの１枚あたりの無荷重下における厚みは、好ましくは０．１ｍｍ以上、さらに好ましくは０．３ｍｍ以上、そして、好ましくは２ｍｍ以下、さらに好ましくは１．５ｍｍ以下である。吸収性シートとしては例えば、特許第２９６３６４７号公報、特許第２９５５２２３号公報に記載のものを利用することができる。吸収性シートとして好ましいものを例示すると、湿潤状態の高吸収性ポリマーに生じる粘着力や別に添加した接着剤や接着性繊維等のバインダーを介して、構成繊維間や構成繊維と高吸収性ポリマーとの間を結合させてシート状としたものが挙げられる。
【００２０】
中央吸収性シート４１は、図１に示すように、中間部Ｍ、あるいは中間部Ｍ並びに前方部Ｆ及び後方部Ｒそれぞれの中間部Ｍ寄りの部分において、ナプキン１又は吸収性本体１０の横方向Ｙの中央部に配されている。また中央吸収性シート４１は、図２に示すように、該シート４１を折り畳んでなる多層構造をなしている。この中央吸収性シート４１の折り畳み多層構造は、１枚の平面視略矩形形状の該シート４１が、該シート４１を横方向Ｙに略三等分する位置を通って縦方向Ｘに延びる２本の折り曲げ線にて同一面側（肌対向面側）に折り曲げられて、いわゆる巻き三つ折り状態に形成されたものであり、該シート４１の３層構造を有している。
【００２１】
また、本体吸収性シート４２も、図２及び図３に示すように、該シート４２を折り畳んでなる多層構造をなしている。この本体吸収性シート４２の折り畳み多層構造は、１枚の平面視略矩形形状の該シート４２が、縦方向Ｘに延びる２本の折り曲げ線にて同一面側（非肌対向面側）に折り曲げられ、且つ該シート４１の縦方向Ｘに沿う両端縁どうしが横方向Ｙの中央部で重ね合わされて形成されたものであり、その両端縁の重ね合わせ部は該シート４２の３層構造、該重ね合わせ部以外の部分は該シート４２の２層構造を有している。本体吸収性シート４２の折り畳み多層構造は、吸収体４の外形を形成している。
【００２２】
このように、ナプキン１における吸収体４は、１枚の本体吸収性シート４２の折り畳み構造の内部に、１枚の中央吸収性シート４１の折り畳み構造が内包された構成を有しているところ、中間部Ｍの横方向Ｙの中央部は、この中央吸収性シート４１の折り畳み構造が配されていることによって、その前後部に比して厚みが大きく且つ肌対向面側に隆起した中高部４３となっている。ナプキン１では、中高部４３はその横方向Ｙの外方よりも厚みが大きく且つ肌対向面側に隆起している。言い換えれば、ナプキン１では、中高部４３はその周辺部よりも厚みが大きく且つ肌対向面側に隆起している。一方、吸収体４における中高部４３以外の部位は、中央吸収性シート４１の折り畳み構造が無く、本体吸収性シート４２の折り畳み構造を含んで構成されており、中高部４３に比して厚みの小さい標準吸収部４４となっている。
【００２３】
中高部４３は、図１に示すように、平面視において長方形形状をなし、その長手方向を縦方向Ｘに一致させて、中間部Ｍの横方向Ｙの中央部に配されている。但し、中高部４３の平面視形状は任意に選択可能であり、長方形形状に限定されない。中高部４３の縦方向Ｘの長さは、好ましくは５５ｍｍ以上、さらに好ましくは７５ｍｍ以上、そして、好ましくは１５０ｍｍ以下、さらに好ましくは１２０ｍｍ以下である。また中高部４３の横方向Ｙの長さは、好ましくは２０ｍｍ以上、さらに好ましくは２５ｍｍ以上、そして、好ましくは５５ｍｍ以下、さらに好ましくは５０ｍｍ以下である。
【００２４】
吸収体４における中高部４３の厚みは、好ましくは０．７ｍｍ以上、さらに好ましくは１ｍｍ以上、そして、好ましくは５ｍｍ以下、さらに好ましくは４ｍｍ以下である。中高部４３の厚みを斯かる範囲とすることで、中高部４３が形成されている中間部Ｍにおける良好な装着感と高い吸収性能を両立することが容易となる。また、ナプキン１のように吸収性物品がウイング部を備えている場合には、装着時に中間部Ｍでの吸収体４のヨレを抑制しやすくなる。また、吸収体４における標準吸収部４４の厚みは、好ましくは０．３ｍｍ以上、さらに好ましくは０．５ｍｍ以上、そして、好ましくは３ｍｍ以下、さらに好ましくは２．５ｍｍ以下である。標準吸収部４４の厚みを斯かる範囲とすることで、高い吸収性能と着用者の動きへの追従性をより一層高めることが可能となる。吸収体及び吸収性シートの厚みは下記方法により測定される。
【００２５】
＜吸収性シート及び吸収体の厚みの測定方法＞
測定対象物である吸収性シート又は吸収体を水平な場所にシワや折れ曲がりがないように静置し、５ｃＮ／ｃｍ２の荷重下での厚みを測定する。本発明における厚みの測定には、厚み計PEACOCK DIAL UPRIGHT GAUGES R5-C(OZAKI MFG.CO.LTD.製）を用いた。このとき、厚み計の先端部と測定対象物における測定部分との間に、平面視円形状又は正方形状のプレート（厚さ５ｍｍ程度のアクリル板）を配置して、荷重が５ｃＮ／ｃｍ２となるようにプレートの大きさを調整する。
【００２６】
ナプキン１の後方部Ｒの肌対向面には、表面シート２及び吸収体４が着用者の肌とは反対側即ち裏面シート３側に一体的に凹陥した溝として、図１に示す如き平面視において、ナプキン１の縦方向Ｘの後端に向けて凸の凸状をなす外溝６と、該外溝６に囲まれた領域に位置し、ナプキン１の縦方向Ｘの後端に向けて凸の凸状をなす内溝７とが形成されている。溝６，７は平面視において線状をなしている。ここでいう「線状」とは、溝即ち凹陥部の形状が平面視において直線に限られず、曲線を含んでいることを意味する。線状の溝６，７は、連続線でも破線等のような不連続線でも良い。溝６，７によって、吸収体４の平面方向特に横方向Ｙの液の拡散が抑制される、吸収体４のヨレが防止される、などの効果が奏され得る。溝６，７は、熱を伴うか又は伴わない圧搾加工、あるいは超音波エンボス等のエンボス加工により常法に従って形成することができる。溝６，７においては、表面シート２及び吸収体４が熱融着等により一体化しており、溝６，７の底部はそれらの周辺部に比して高密度である。
【００２７】
外溝６は、図１に示す如き平面視において、中高部４３及び内溝７を包囲する閉じた環状をなし、ナプキン１あるいは吸収体４を横方向Ｙに二分して縦方向Ｘに延びる縦中心線ＣＬを基準として左右対称に形成されている。外溝６は、後方部Ｒのみならず、前方部Ｆから中間部Ｍを通って後方部Ｒにわたって連続している。内溝７は、中高部４３より縦方向Ｘの後方に位置し、縦中心線ＣＬを基準として左右対称に形成され、縦方向Ｘの後端７０に凸の頂部を有し、縦方向Ｘの前端側即ち中高部４３側は開放されている。
【００２８】
図１及び図４に示すように、吸収体４は、中高部４３の後方に、縦方向Ｘに延びる後方スリットＲ１が複数分散配置された後方スリット領域ＲＳを、縦方向中心線ＣＬを挟んで横方向Ｙに離間して左右一対有している。後方スリットＲ１は、吸収体４に形成された切れ目であり、後方スリットＲ１の形成位置においては吸収体４の形成材料が切断され又は形成材料が他の部位よりも相互に離れて分離されている。ナプキン１においては、後方スリットＲ１は平面視直線状をなしているが、後方スリットＲ１の平面視形状はこれに限定されず波線等でも良い。また後方スリットＲ１は、縦方向Ｘに延びていれば良く、図示の如く縦中心線ＣＬに対して平行でなくても良く、縦中心線ＣＬとのなす角度が４５度未満であれば良い。後方スリット領域ＲＳは、後方スリットＲ１が存在する領域であり、その領域の範囲は、図４に示すように、縦方向Ｘの最も前方に位置する後方スリットＲ１の前方端から最も後方に位置する後方スリットＲ１の後端までを縦方向長さとし、横方向Ｙの最も内側に位置する後方スリットＲ１の内側縁から最も外側に位置する後方スリットＲ１外側縁までを横方向長さとする平面視四角形の範囲である。
【００２９】
左右一対の後方スリット領域ＲＳ，ＲＳそれぞれには、後方スリットＲ１が１本以上あれば良い。後方スリット領域ＲＳに存する後方スリットＲ１の数は特に制限されないが、好ましくは２本以上、さらに好ましくは３本以上、そして、好ましくは１８本以下、さらに好ましくは１４本以下である。後方スリット領域ＲＳが後方スリットＲ１を複数有している場合、その複数の後方スリットＲ１は互いに、平面視形状及び縦中心線ＣＬに対する傾斜角度の何れか一方又は両方が同じでも良く、異なっていても良い。また、後方スリット領域ＲＳが後方スリットＲ１を複数有している場合、その複数の後方スリットＲ１が縦方向Ｘに一列に並ぶパターンよりも、図４に示す如き、横方向Ｙの位置が異なる２本以上の後方スリットＲ１が存するパターンが好ましい。
【００３０】
ナプキン１では、図４に示すように、後方スリット領域ＲＳにおける複数の後方スリットＲ１は、平面視形状及び縦中心線ＣＬに対する傾斜角度が互いに同じであり、各後方スリットＲ１は縦中心線ＣＬに平行に直線で延びている。後方スリット領域ＲＳには６本の後方スリットＲ１が存しており、その６本の後方スリットＲ１は縦方向Ｘ及び横方向Ｙの両方向に分散した状態で配され、より具体的には千鳥状に配されている。この後方スリット領域ＲＳにおける後方スリットＲ１の千鳥状配置は、具体的には、複数（２本）の後方スリットＲ１が縦方向Ｘに間欠配置されたスリット列が形成され、且つ該スリット列を横方向Ｙに投影したときに、該スリット列を構成する後方スリットＲ１の投影像の間に、該スリット列と横方向Ｙにおいて隣接する他の後方スリットＲ１の投影像が配置されるものである。
【００３１】
後方スリットＲ１は、図３に示すように、吸収体４を構成する吸収性シートの積層体を貫通していることが好ましい。また後方スリットＲ１は、図３に示すように、吸収体４の上下に配される表面シート２及び裏面シート３には形成されておらず、さらに、表面シート２と吸収体４との間に配されることのある不織布からなる中間シートにも形成されていないことが好ましい。
【００３２】
ナプキン１においては、後方スリット領域ＲＳは、図１及び図４に示すように、縦中心線ＣＬを挟んで両側に一対配されている。即ち、吸収体４における一対の後方スリット領域ＲＳ，ＲＳに挟まれた部分（後方部Ｒの横方向Ｙの中央部）は、スリット（切れ目）が形成されていない。そのため、吸収体４における一対の後方スリット領域ＲＳ，ＲＳに挟まれた部分は、後方スリット領域ＲＳに比して高い剛性を有しており、その結果、後方部Ｒ（特に縦方向Ｘにおいて後方スリット領域ＲＳと同位置にある領域及びその近傍）の可撓軸が、横方向Ｙの中央部より横方向Ｙの外側に形成される。そのため、ナプキン１の着用時に、着用者の大腿部により、吸収体４を横方向Ｙに圧縮する力が加えられた場合、一対の後方スリット領域ＲＳ，ＲＳに挟まれた横方向Ｙの中央部が、着用者の肌側に向かって面を持って隆起し、着用者の臀裂に平面的に且つ安定的に沿うようになる。またこのように、着用者の肌側に隆起変形して着用者の臀裂に沿うようになった部分の横方向Ｙの両側には後方スリット領域ＲＳが配され、その後方スリット領域ＲＳにおける後方スリットＲ１にて吸収体４が分断されているため、排泄液の面方向への拡散、特に横方向Ｙへの拡散が抑制され、これにより液流れや漏れが効果的に防止されるようになる。
【００３３】
このように、後方スリット領域ＲＳが縦中心線ＣＬを挟んで両側に一対配されている（後方部Ｒの横方向Ｙの中央部にスリットが形成されていない）ことにより、ナプキン１は、着用者の肌に密着して隙間を生じ難く、該隙間からの液漏れを効果的に防止し得るものとなる。このような、後方スリット領域ＲＳの配置の工夫による作用効果をより確実に奏させるようにする観点から、一対の後方スリット領域ＲＳ，ＲＳの一方と他方との横方向Ｙにおける間隔が最も狭い部分の間隔ｄ１（図４参照）は、好ましくは８ｍｍ以上、さらに好ましくは１５ｍｍ以上、そして、好ましくは４０ｍｍ以下、さらに好ましくは３０ｍｍ以下である。
【００３４】
後方スリット領域ＲＳは、中高部４３の後方に位置している。ここでいう「中高部４３の後方」には、図１及び図４に示す如く、中高部４３と後方スリット領域ＲＳとが縦方向Ｘに所定距離（図４中符号ｄ２で示す距離）離間した配置形態のみならず、中高部４３の縦方向Ｘの後端部（中高部４３の後端４３Ｒ及びその近傍）と、後方スリット領域ＲＳの縦方向Ｘの前端部とが重なる配置形態が含まれる。ここでいう、「後方スリット領域ＲＳの縦方向Ｘの前端部」は、後方スリット領域ＲＳにおいて縦方向Ｘの最前方に位置する後方スリットＲ１（以下、「最前方後方スリットＲ１ａ」ともいう）の縦方向Ｘの前端部を意味する。後者の、中高部４３と後方スリット領域ＲＳの縦方向Ｘの前端部とが重なる配置形態において、中高部４３と後方スリット領域ＲＳ（最前方後方スリットＲ１ａ）との重複部分の縦方向Ｘの長さは、好ましくは１０ｍｍ以下、さらに好ましくは５ｍｍ以下である。
【００３５】
後方スリットＲ１の各部の寸法等は下記のように設定することが好ましい。
後方スリットＲ１の縦方向Ｘの長さｌ１（図４参照）は、好ましくは１０ｍｍ以上、さらに好ましくは１５ｍｍ、そして、好ましくは３５ｍｍ以下、さらに好ましくは２５ｍｍ以下である。
後方スリットＣ１の横方向Ｙの長さ即ち幅は、好ましくは０．１ｍｍ以上、さらに好ましくは０．２ｍｍ以上、そして、好ましくは１ｍｍ以下、さらに好ましくは０．８ｍｍ以下である。
後方スリット領域ＲＳにおいて、複数の後方スリットＲ１が縦方向Ｘに一列に配されてなる、縦スリット列内における後方スリットＲ１，Ｒ１の縦方向Ｘの間隔ｄ３（図４参照）は、好ましくは１０ｍｍ以上、さらに好ましくは１５ｍｍ以上、そして、好ましくは３５ｍｍ以下、さらに好ましくは２５ｍｍ以下である。
後方スリット領域ＲＳにおいて、複数の後方スリットＲ１が横方向Ｙに一列に配されてなる、横スリット列内における後方スリットＲ１，Ｒ１の縦方向Ｘの間隔ｄ４（図４参照）は、好ましくは５ｍｍ以上、さらに好ましくは１０ｍｍ以上、そして、好ましくは２５ｍｍ以下、さらに好ましくは２０ｍｍ以下である。
【００３６】
ナプキン１においては、図１、図２及び図４に示すように、吸収体４は中間部Ｍに、縦方向Ｘに延びる中央スリットＭ１が複数分散配置された中央スリット領域ＭＳを有している。中央スリット領域ＭＳは中高部４３に存している。中高部４３に中央スリット領域ＭＳが存していることにより、ナプキン１の着用時に、着用者の大腿部により、吸収体４を横方向Ｙに圧縮する力が加えられても、吸収体４が、中央スリット領域ＭＳの多様な部位で細かく変形するため、吸収体４やナプキン１に、深さの深い折れ皺が生じにくい。そのため、深い折れ皺に起因する不都合、例えば、着用者が違和感を覚える、折れ皺に沿って液が流れて漏れにつながる等が効果的に防止され得る。従ってナプキン１によれば、中央スリット領域ＭＳ及び後方スリット領域ＲＳの双方による作用効果により、着用時に着用者の肌に密着して隙間を生じ難く、該隙間からの液漏れが効果的に防止される。
【００３７】
中央スリットＭ１は、吸収体４に形成された切れ目であり、中央スリットＭ１の形成位置においては吸収体４の形成材料が切断され又は形成材料が他の部位よりも相互に離れて分離されている。ナプキン１においては、中央スリットＭ１は平面視直線状をなしているが、中央スリットＭ１の平面視形状はこれに限定されず波線等でも良い。また中央スリットＭ１は、縦方向Ｘに延びていれば良く、図示の如く縦中心線ＣＬに対して平行でなくても良く、縦中心線ＣＬとのなす角度が４５度未満であれば良く、３０度未満であることが好ましく、特に１０度未満であることが好ましく、０度であることが最も好ましい。
【００３８】
中央スリット領域ＭＳには中央スリットＲ１が１本以上あれば良い。中央スリット領域ＭＳに存する中央スリットＭ１の数は特に制限されないが、好ましくは１０本以上、さらに好ましくは２０本以上、そして、好ましくは４０本以下、さらに好ましくは３０本以下である。中央スリット領域ＭＳが中央スリットＭ１を複数有している場合、その複数の中央スリットＭ１は互いに、平面視形状及び縦中心線ＣＬに対する傾斜角度の何れか一方又は両方が同じでも良く、異なっていても良い。また、中央スリット領域ＭＳが中央スリットＭ１を複数有している場合、その複数の中央スリットＭ１が縦方向Ｘに一列に並ぶパターンよりも、図４に示す如き、横方向Ｙの位置が異なる２本以上の中央スリットＭ１が存するパターンが好ましい。
【００３９】
中央スリットＭ１の各部の寸法等は下記のように設定することが好ましい。
中央スリットＭ１の縦方向Ｘの長さｌ２（図４参照）は、好ましくは１０ｍｍ以上、さらに好ましくは１５ｍｍ以上、そして、好ましくは３５ｍｍ以下、さらに好ましくは２５ｍｍ以下である。
中央スリットＭ１の横方向Ｙの長さ即ち幅は、好ましくは０．１ｍｍ以上、さらに好ましくは０．２ｍｍ以上、そして、好ましくは１ｍｍ以下、さらに好ましくは０．８ｍｍ以下である。
中央スリット領域ＭＳにおいて、複数の中央スリットＭ１が縦方向Ｘに一列に配されてなる、縦スリット列内における中央スリットＭ１，Ｍ１の縦方向Ｘの間隔ｄ５（図４参照）は、好ましくは１０ｍｍ以上、さらに好ましくは１５ｍｍ以上、そして、好ましくは３５ｍｍ以下、さらに好ましくは２５ｍｍ以下である。
中央スリット領域ＭＳにおいて、複数の中央スリットＭ１が横方向Ｙに一列に配されてなる、横スリット列内における中央スリットＭ１，Ｍ１の縦方向Ｘの間隔ｄ６（図４参照）は、好ましくは５ｍｍ以上、さらに好ましくは１０ｍｍ以上、そして、好ましくは２５ｍｍ以下、さらに好ましくは２０ｍｍ以下である。
【００４０】
また、一対の後方スリット領域ＲＳ，ＲＳの一方と他方との横方向Ｙにおける間隔が最も狭い部分の間隔ｄ１（図４参照）は、中央スリット領域ＭＳにおいて横方向Ｙに隣り合う２本の前方スリットＭ１，Ｍ１どうしの横方向Ｙにおける間隔ｄ６（図４参照）に比して広く、且つ中高部４３を横方向Ｙに５等分した場合の横方向中央の１領域の横方向長さに比して広いことが好ましい。斯かる構成により、ナプキン１の着用時において、この間隔ｄ１を持つ部分（後方部Ｒの横方向Ｙの中央部）が着用者の臀裂により一層安定的に沿うようになり、フィット性、延いては漏れ防止性がより一層向上し得る。間隔ｄ１と間隔ｄ６との比率は、前者／後者として、好ましくは１．１以上、さらに好ましくは１．３以上、そして、好ましくは３以下、さらに好ましくは２．５以下である。また、間隔ｄ１と中高部４３の横方向中央の１領域の横方向長さとの比率は、前者／後者として、好ましくは１．５以上、さらに好ましくは２以上、そして、好ましくは６以下、さらに好ましくは５以下である。
【００４１】
ナプキン１では、図４に示すように、中央スリット領域ＭＳにおける複数の中央スリットＭ１は、平面視形状及び縦中心線ＣＬに対する傾斜角度が互いに同じであり、各中央スリットＭ１は縦中心線ＣＬに平行に直線で延びている。中央スリット領域ＭＳにおける複数の中央スリットＭ１は縦方向Ｘ及び横方向Ｙの両方向に分散した状態で配され、より具体的には千鳥状に配されている。この中央スリットＭ１の千鳥状配置は、前述した後方スリットＲ１の千鳥状配置と同じである。
【００４２】
中央スリットＭ１は、図２に示すように、吸収体４を構成する吸収性シートの積層体を貫通していることが好ましい。また中央スリットＭ１は、図２に示すように、吸収体４の上下に配される表面シート２及び裏面シート３には形成されておらず、さらに、表面シート２と吸収体４との間に配されることのある不織布からなる中間シートにも形成されていないことが好ましい。
【００４３】
ナプキン１においては、図１及び図４に示すように、中央スリット領域ＭＳにおける複数の中央スリットＭ１の一部、より具体的には、中央スリット領域ＭＳにおいて縦方向Ｘの最後方に位置する中央スリットＭ１（以下、「最後方中央スリットＭ１ａ」ともいう）が、中高部４３の後端４３Ｒを縦方向Ｘに跨いでいる。斯かる構成により、ナプキン１の着用時において、中高部４３が着用者の身体に沿うように変形しやすくなり、ナプキン１のフィット性、漏れ防止性がより一層向上し得る。
【００４４】
最後方中央スリットＭ１ａの縦方向Ｘの後端と最前方後方スリットＲ１ａの縦方向Ｘの前端との間隔ｄ７（図４参照）、即ち中央スリット領域ＭＳと後方スリット領域ＲＳとの間隔ｄ７は、後方スリットＲ１（最前方後方スリットＲ１ａ）の縦方向長さｌ１（図４参照）及び中央スリットＭ１の縦方向長さｌ２（図４参照）の少なくとも一方よりも短いことが好ましい。間隔ｄ７は、好ましくは２０ｍｍ以下、さらに好ましくは１５ｍｍ以下、特に好ましくは０ｍｍである。即ち、最後方中央スリットＭ１ａ（中央スリット領域ＭＳ）と最前方後方スリットＲ１ａ（後方スリット領域ＲＳ）とが間隔を置かずに連続している形態が最も好ましい。ナプキン１においては、図１及び図４に示すように、最後方中央スリットＭ１ａの後端と最前方後方スリットＲ１ａの前端とは、ナプキン１を横方向Ｙから視た場合に重なっておらず、間隔ｄ７は０ｍｍではない。間隔ｄ７をこのように一定距離以下、好ましくはゼロにすることで、着用中にナプキン１に対して横方向Ｙの両外方から力が加わった場合に、一対の後方スリット領域ＲＳ，ＲＳそれぞれにおける最前方後方スリットＲ１ａを起点として、吸収体４における、一方の後方スリット領域ＲＳの最前方後方スリットＲ１ａと他方の後方スリット領域ＲＳの最前方後方スリットＲ１ａとの間に位置する部分が、着用者の肌側に曲面状に一層隆起しやすくなり、フィット性の一層の向上が期待できる。
【００４５】
図２〜図４に示すように、後方部Ｒにおける吸収性本体１０の非肌対向面（裏面シート３の非肌対向面）には、吸収性本体１０を着衣に固定するズレ止め部８が配されている。ナプキン１においては、ズレ止め部８は図４に示すように、後方部Ｒのみならず、前方部Ｆ及び中間部Ｍにも配されており、且つ平面視において前方部Ｆから後方部Ｒにわたって縦方向Ｘに連続する直線状をなしている。またナプキン１においては、この平面視直線状のズレ止め部８が、吸収性本体１０の非肌対向面における、平面視において吸収体４と重なる位置に４本配され、その４本の直線状のズレ止め部８は横方向Ｙに間欠配置されている。４本のズレ止め部８は、縦中心線ＣＬを基準として左右対称に配されている。
【００４６】
ズレ止め部８の素材としては、この種の吸収性物品において通常用いられているものを特に制限なく用いることができ、粘着剤が好ましいが、フック材を用いることもできる。フック材は、ベースシートの表面に多数の係合突起が設けられてなる。粘着剤からなるズレ止め部８は、ナプキン１をショーツ等の着衣に粘着固定させ、フック材からなるズレ止め部８は、該フック材を構成する多数の係合突起が着衣に係合することで、ナプキン１を着衣に係合固定させる。ズレ止め部８を形成する粘着剤としては、例えば、スチレン−エチレン−ブチレン−スチレン（ＳＥＢＳ）系、スチレン-イソプレン-スチレン（ＳＩＳ）系、スチレン-ブチレン-スチレン（ＳＢＳ）系、スチレン−エチレン-プロピレン-スチレン系（ＳＥＰＳ）、エチレン酢酸ビニル（ＥＶＡ）、ポリビニルアルコール（ＰＶＡ）等の各種ホットメルト粘着剤を用いることができる。
【００４７】
ナプキン１の主たる特徴の１つとして、ズレ止め部８の配置が前述した後方スリットＲ１との関係を考慮して設定されている点が挙げられる。即ちナプキン１においては、図４に示す如き平面視において、ズレ止め部８は少なくとも、後方スリット領域ＲＳにおいて縦方向Ｘの最前方に位置する後方スリットＲ１、即ち最前方後方スリットＲ１ａとは重なっていない。
【００４８】
前述した通り、後方スリットＲ１は、特にナプキン１における、身体形状の変形が大きい排泄部に対応する部分（前記排泄部対向部）から後方部Ｒにわたる領域の着用者の肌に対するフィット性の向上に作用するところ、特に、最前方後方スリットＲ１ａとズレ止め部８とがナプキン１の平面視において重なると、ナプキン１の着用時において後方スリット領域ＲＳが身体に沿って変形しにくくなるため、ナプキン１のフィット性が低下し、身体とナプキン１との間に隙間が形成され、その隙間に沿って液が流れて漏れにつながる等の不都合が起こり得る。これに対し、ナプキン１においては図４に示すように、最前方後方スリットＲ１ａの形成位置にズレ止め部８が存していないため、斯かる不都合が起こり難く、後方スリットＲ１の採用等による高いフィット性が維持されると共に、着用中に後方スリットＲ１が横方向Ｙに開きやすいため、その拡開した後方スリットＲ１が通気孔として機能する結果、着用中のナプキン１の内部空間のムレが効果的に防止される。
【００４９】
またナプキン１においては、ズレ止め部８は、図４に示す如き平面視において、少なくとも最前方後方スリットＲ１ａと重なっていないことに加えてさらに、一対の後方スリット領域ＲＳ，ＲＳの間、即ち間隔ｄ１を持つ部分（後方部Ｒの横方向Ｙの中央部）に存していない。前述した通り、一対の後方スリット領域ＲＳ，ＲＳに挟まれた横方向Ｙの中央部は、ナプキン１の着用時において着用者の肌側に向かって隆起変形する部位であるところ、このような変形部位が、ナプキン１をショーツ等の着衣に固定するズレ止め部８と重なっていると、該変形部位がズレ止め部８を介して着衣側に引っ張られてしまう結果、望ましい隆起変形が阻害されるおそれがある。そこでナプキン１においては、このような不都合を回避し、吸収体４における一対の後方スリット領域ＲＳ，ＲＳの間に位置する部分の、着用者の肌側への隆起変形を一層促進させる観点から、平面視において該部分とズレ止め部８とが重ならないようにしている。
【００５０】
またナプキン１においては、ズレ止め部８は図４に示すように、横方向Ｙの最外方に位置する後方スリットＲ１より横方向Ｙの外方に存している。換言すれば、ナプキン１における一対の後方スリット領域ＲＳ，ＲＳは、それぞれ、横方向Ｙの最外方に位置する一対のズレ止め部８，８によって挟まれている。斯かる構成により、ナプキン１の横方向Ｙの両端部がズレ止め部８を介してショーツ等の着衣にしっかりと固定されるようになるため、前述した後方スリットＲ１による、一対の後方スリット領域ＲＳ，ＲＳの間に位置する部分の着用者の肌側への隆起変形が起こりやすくなり、フィット性の一層の向上が期待できる。また、斯かる構成によりナプキン１は、横方向Ｙの両端部にてズレ止め部８を介してショーツ等の着衣に固定されるようになるため、着用中におけるナプキン１全体のズレやヨレが効果的に抑制され、その結果として、フィット性が向上し得る。
【００５１】
またナプキン１においては、ズレ止め部８は図４に示す如き平面視において、後方スリットＲ１のみならず、中央スリットＭ１における、後方スリット領域ＲＳ，ＲＳ間の間隔ｄ１を持つ部分（後方部Ｒの横方向Ｙの中央部）の縦方向延長領域とも重なっていない。前方スリットＭ１の当該領域とズレ止め部８とがナプキン１の平面視において重なると、ナプキン１の着用時において中央スリット領域ＭＳやその近傍に皺が入りやすくなる結果、前述した中央スリット領域ＭＳによる作用効果が低下するおそれがある。ナプキン１においては、この点を考慮して図４に示すように、前方スリットＢ１の当該領域にズレ止め部８が存しないようにしており、またその結果として、着用中に中央スリットＭ１が横方向Ｙに開きやすくなるため、中央スリットＭ１は、後方スリットＲ１と同様に通気孔として機能し、着用中のナプキン１の内部空間のムレが効果的に防止される。尚、中央スリットＭ１の全てがズレ止部８と重なっていないことが、同様の効果を一層発現し易くなるので好ましい。
【００５２】
ズレ止め部８の各部の寸法等は下記のように設定することが好ましい。
ズレ止め部８の縦方向Ｘの長さは、ナプキン１（吸収性本体５）の縦方向Ｘの全長に対して、好ましくは３０％以上、さらに好ましくは５０％以上、そして、好ましくは９０％以下、さらに好ましくは８０％以下である。
ズレ止め部８の横方向Ｙの長さ即ち幅は、好ましくは０．８ｍｍ以上、さらに好ましくは１．５ｍｍ以上、そして、好ましくは６．５ｍｍ以下、さらに好ましくは５．０ｍｍ以下である。
ズレ止め部８，８の横方向Ｙの間隔ｄ８（図４参照）は、好ましくは０．８ｍｍ以上、さらに好ましくは１．５ｍｍ以上、そして、好ましくは１５ｍｍ以下、さらに好ましくは７ｍｍ以下である。
【００５３】
ズレ止め部８の数は特に制限されないが、ナプキン１をショーツ等の着衣に対して安定的に固定する観点から、少なくとも一対即ち２本あることが好ましい。ズレ止め部８の数が一対の場合、その一対のズレ止め部８，８は前述したように、横方向Ｙの最外方に位置する後方スリットＲ１より横方向Ｙの外方に存していることが好ましい。
【００５４】
以上、本発明について説明したが、本発明は前述した実施形態に制限されず、本発明の趣旨を逸脱しない範囲で適宜変更可能である。例えば、前記実施形態においては、ズレ止め部８は前方部Ｆから後方部Ｒにわたって縦方向Ｘに連続していたが、縦方向Ｘに連続せずに分断されていても良く、例えば、中間部Ｍ（中央スリット領域ＭＳ）を通るズレ止め部８と後方部Ｒ（後方スリット領域ＲＳ）を通るズレ止め部８とが不連続でも良い。またズレ止め部８は、後方部Ｒに配されていれば良く、前方部Ｆや中間部Ｍには配されていなくても良い。
【００５５】
また前記実施形態においては、吸収体が吸収性シートのみから構成されていたが、吸収性材料を積繊してなる積繊体のみから構成されていても良く、両者を含んで構成されていても良い。但し、吸収体が吸収性シートのみから構成されているような、いわゆる薄型の従来の吸収性物品は、臀部に対するフィット性が不十分である場合が多いところ、本発明によれば前述した通り、臀部に対するフィット性が向上することから、本発明は特に、吸収体が吸収性シートのみから構成されている吸収性物品に好適である。また、吸収体における吸収性シートの多層構造は、前記実施形態のように、１枚の吸収性シートが折り重ねられて形成された構成でも良く、あるいは複数枚の吸収性シートを折り畳まずに積層した構成でも良く、あるいは両構成を複合した構成でも良い。
【００５６】
本発明は、経血の吸収に用いられる物品全般に適用することができる。そのような物品の例としては、前記実施形態の如き生理用ナプキンの他に、パンティライナ及びタンポン等が挙げられるが、それらに限られない。
【符号の説明】
【００５７】
１  生理用ナプキン（吸収性物品）
２  表面シート
３  裏面シート
４  吸収体
４１  中央吸収性シート
４２  本体吸収性シート
４３  中高部
４４  標準吸収部
５  防漏カフ形成用シート
６  外溝
７  内溝
８  ズレ止め部
１０  吸収性本体
Ｆ  前方部
Ｍ  中間部
Ｒ  後方部
Ｍ１  中央スリット
Ｍ１ａ  最後方中央スリット
ＭＳ  中央スリット領域
Ｒ１  後方スリット
Ｒ１ａ  最前方後方スリット
ＲＳ  後方スリット領域
ＣＬ  縦中心線
Ｘ  縦方向
Ｙ  横方向
【図１】
2018061685.tif 000003
【図２】
2018061685.tif 000004
【図３】
2018061685.tif 000005
【図４】
2018061685.tif 000006